(57)【要約】【課題】ＲＦＩＤデータの解析を支援することができるＲＦＩＤデータモニタ装置を提供する。【解決手段】ＲＦＩＤデータモニタ装置１は、ＲＦＩＤタグ２とＲＦＩＤリーダ３との間で遣り取りされる無線通信の通信波形を受信して、予め記憶された規格データと比較する。このとき、適合する規格データを取得データとして取得する。取得した規格データは、ハードディスクに逐次記憶するとともに、液晶表示器に表示する。【選択図】図１
2008077526.tif 000002
【特許請求の範囲】
【請求項１】
ＲＦＩＤタグとＲＦＩＤリーダとの間で無線通信されるＲＦＩＤデータをモニタするＲＦＩＤデータモニタ装置であって、
前記ＲＦＩＤタグと前記ＲＦＩＤリーダとの通信波形を受信して予め記憶された規格値と比較するとともに、適合した規格値を示すデータに変換する変換手段を備えたことを特徴とするＲＦＩＤデータモニタ装置。
【請求項２】
前記変換手段で変換されたデータを表示する表示手段を備えたことを特徴とする請求項１記載のＲＦＩＤデータモニタ装置。
【請求項３】
前記変換手段で変換されたデータを順次記憶するデータ記憶手段を備えたことを特徴とする請求項１又は２記載のＲＦＩＤデータモニタ装置。
【発明の詳細な説明】
【技術分野】
【０００１】
本発明は、ＲＦＩＤタグとの間で遣り取りされるＲＦＩＤデータをモニタするＲＦＩＤデータモニタ装置に関する。
【背景技術】
【０００２】
従来、カードに内蔵されたＲＦＩＤタグからデータを読み出す際には、ＲＦＩＤリーダが用いられており、前記カード内の前記ＲＦＩＤタグと前記ＲＦＩＤリーダとの間で電波を用いた通信を行うことによって、前記ＲＦＩＤタグに記憶された情報を読み出せるように構成されている。
【０００３】
前記ＲＦＩＤタグと前記ＲＦＩＤリーダとの間で行われるＲＦＩＤリーダを解析する際には、高価なスペクトルアナライザ等を用いて通信波形を測定した後、その通信波形を目視するとともに規格毎のプロトコルを参照してデータ解析を行うことにより、交信データの検証を行っている。
【発明の開示】
【発明が解決しようとする課題】
【０００４】
しかしながら、このような従来のモニタ方法にあっては、測定した通信波形を人手によって解析しなければならず、効率が悪く膨大な時間がかかるという問題があった。
【０００５】
本発明は、このような従来の課題に鑑みてなされたものであり、ＲＦＩＤデータの解析を支援することができるＲＦＩＤデータモニタ装置を提供することを目的とするものである。
【課題を解決するための手段】
【０００６】
前記課題を解決するために本発明の請求項１のＲＦＩＤデータモニタ装置においては、ＲＦＩＤタグとＲＦＩＤリーダとの間で無線通信されるＲＦＩＤデータをモニタするＲＦＩＤデータモニタ装置であって、前記ＲＦＩＤタグと前記ＲＦＩＤリーダとの通信波形を受信して予め記憶された規格値と比較するとともに、適合した規格値を示すデータに変換する変換手段を備えている。
【０００７】
すなわち、ＲＦＩＤタグとＲＦＩＤリーダとの間で無線通信されるＲＦＩＤデータをモニタする際には、前記ＲＦＩＤタグと前記ＲＦＩＤリーダとの通信波形が受信され、この通信波形は、予め記憶された規格値と比較される。そして、この通信波形は、適合した規格値を示すデータに変換される。
【０００８】
このため、前記通信波形をスペクトルアナライザ等で測定するとともに、その通信波形を規格毎のプロトコルを参照してデータ解析を行うといった人手による手間が省ける。
【０００９】
また、請求項２のＲＦＩＤデータモニタ装置にあっては、前記変換手段で変換されたデータを表示する表示手段を備えている。
【００１０】
これにより、通信内容が目視によって確認される。
【００１１】
さらに、請求項３のＲＦＩＤデータモニタ装置では、前記変換手段で変換されたデータを順次記憶するデータ記憶手段を備えている。
【００１２】
すなわち、データ変換された通信内容は、順次記憶される。
【発明の効果】
【００１３】
以上説明したように本発明の請求項１のＲＦＩＤデータモニタ装置にあっては、人手による通信波形の解析を不要とし、ＲＦＩＤデータの解析を支援することができる。
【００１４】
これにより、解析効率が向上するとともに、解析に要する時間を短くすることができる。
【００１５】
また、請求項２のＲＦＩＤデータモニタ装置にあっては、変換されたデータを表示することによって、通信内容を目視で確認することができる。
【００１６】
さらに、請求項３のＲＦＩＤデータモニタ装置では、データ変換された通信内容を、順次記憶することができる。
【００１７】
これにより、通信内容を後で確認することができるとともに、コンピュータ等による解析も可能とすることができる。
【発明を実施するための最良の形態】
【００１８】
以下、本発明の一実施の形態を図面に従って説明する。図１は、本実施の形態にかかるＲＦＩＤデータモニタ装置１の使用状態を示す図であり、該ＲＦＩＤデータモニタ装置１は、ＲＦＩＤタグ２とＲＦＩＤリーダライタ３との間で遣り取りされるＲＦＩＤデータ４をモニタする装置である。
【００１９】
なお、ＲＦＩＤとは、Ｒａｄｉｏ  Ｆｒｅｑｕｅｎｃｙ  Ｉｄｅｎｔｉｆｉｃａｔｉｏｎの略語である。
【００２０】
すなわち、ＩＤカード１１には、ＩＣチップからなるＲＦＩＤタグ２が内蔵されており、該ＲＦＩＤタグ２は、電波を用いることによってデータを非接触で読み書きできるように構成されている。
【００２１】
また、前記ＲＦＩＤリーダライタ３は、コマンドを電波に乗せてアンテナ２１から前記ＲＦＩＤタグ２に送信するとともに、当該コマンドに応答して前記ＲＦＩＤタグ２から送信されたＲＦＩＤデータ４を受信するように構成されている。
【００２２】
これにより、前記ＲＦＩＤリーダライタ３から読み出し用のコマンドを電波に乗せて送信することで、前記ＲＦＩＤタグ２に記憶された所定のデータを読み出したり、前記ＲＦＩＤリーダライタ３から書き込み用のコマンド及びデータを電波に乗せて送信することで、前記ＲＦＩＤタグ２にデータを記憶できるように構成されており、前記ＩＤカード１１に、より多くの情報を読み書きできるように構成されている。
【００２３】
前記ＲＦＩＤデータモニタ装置１は、図２に示すように、前記ＲＦＩＤタグ２と前記ＲＦＩＤリーダライタ３との間で遣り取りされる電波３１を受信するアンテナ３２を備えており、該アンテナ３２で受信した電波３１は、復調回路３３によって復調されるように構成されている。この復調された信号は、受信アンプ３４によって増幅されるとともに、符号化アンプ３５によって、その波形に応じた符号化データに変換された後、ＣＰＵ（ｃｅｎｔｒａｌ  ｐｒｏｃｅｓｓｉｎｇ  ｕｎｉｔ）３６に入力されている。
【００２４】
該ＣＰＵ３６は、ＲＯＭ４１に記憶されたプログラムに従って動作するように構成されており、処理過程でのデータをＲＡＭ４２に記憶するように構成されている。前記ＲＯＭ４１には、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）で定められたＲＦＩＤデータ４として使用する規格値としての規格データが記憶されており、前記ＣＰＵ３６は、前記符号化アンプ３５から入力された前記符号化データと前記ＲＯＭ４１に記憶された前記規格データとを比較するとともに、適合した規格データを検出して判別するように構成されている。これにより、前記アンテナ３２で受信した通信波形を、適合する規格値を示すデータとしての前記規格データに変換して取得できるように構成されている。
【００２５】
また、前記ＣＰＵ３６は、取得した前記規格データを表示手段を構成する液晶表示器５１に逐次表示するように構成されており、その表示例５２としては、区画線５３の上部に前記ＲＦＩＤリーダライタ３から出力された規格データ５４が、前記区画線５３の下部に前記ＲＦＩＤタグ２から出力された規格データ５５が時系列的に表示されるように構成されている。
【００２６】
さらに、前記ＣＰＵ３６は、取得した前記規格データ５４，５５をデータ記憶手段を構成するハードディスク６１に逐次記憶するように構成されており、当該ハードディスク６１から記憶データを読み出すことによって、取得した前記規格データ５４，５５を時系列的に得られるように構成されている。
【００２７】
このとき、図外のＵＳＢ（Ｕｎｉｖｅｒｓａｌ  Ｓｅｒｉａｌ  Ｂｕｓ）インターフェイスを介して、他のパソコンを接続することによって、前記ハードディスク６１の記憶データを前記パソコンで読み出せるように構成されている。
【００２８】
以上の構成に係る本実施の形態において、前記ＩＤカード１１内蔵のＲＦＩＤタグ２と前記ＲＦＩＤリーダライタ３との間で無線通信されるＲＦＩＤデータ４をモニタする際には、図３に示すように、前記ＲＦＩＤデータモニタ装置１の電源をＯＮにするとともに（Ｓ１）、液晶表示器５１に表示されたコンフィギュレーション画面より傍受する電波通信方式と、データの方式と、フォーマット等を図外の入力装置から入力することによって、前記電波通信方式と前記データの方式と前記フォーマット等の設定を行う（Ｓ２）。
【００２９】
そして、当該ＲＦＩＤデータモニタ装置１のアンテナ３２を、前記ＲＦＩＤタグ２を内蔵した前記ＩＤカード１１と前記ＲＦＩＤリーダライタ３との間に挿入するなどして測定対象に近付ける（Ｓ３）。この状態において、前記ＲＦＩＤデータモニタ装置１に設けられた測定開始釦を押してデータの蓄積を開始する（Ｓ４）。
【００３０】
すると、前記ＲＦＩＤタグ２と前記ＲＦＩＤリーダライタ３との間の電波３１が前記アンテナ３２で受信され、その通信波形が復調回路３３で復調されるとともに、受信アンプ３４を介して符号化アンプ３５で符号化され、前記ＣＰＵ３６に入力される。このＣＰＵ３６では、前記符号化アンプ３５から入力された前記符号化データと前記ＲＯＭ４１に記憶された前記規格データとを比較して、適合した規格データを取得する。そして、この取得した規格データを、前記ハードディスク６１に逐次記憶することによってデータの蓄積を行う。
【００３１】
このため、前記通信波形をスペクトルアナライザ等で測定するとともに、その通信波形を規格毎のプロトコルを参照してデータ解析を行うといった人手による通信波形の解析を不要とすることができる。これにより、前記ＲＦＩＤデータ４の解析を支援することができる。また、人手によって通信波形を解析する場合と比較して、解析効率が向上するとともに、解析に要する時間を短くすることができる。
【００３２】
これと同時に前記ＣＰＵ３６は、取得した前記規格データを前記ＲＦＩＤリーダライタ３から出力されたものと前記ＲＦＩＤタグ２から出力されたものとに分けて前記液晶表示器５１の表示部に逐次表示する（Ｓ５）。
【００３３】
これにより、図２に示したように、前記ＲＦＩＤリーダライタ３から出力されたＲＦＩＤデータからなる規格データ５４と、前記ＲＦＩＤタグ２から出力されたＲＦＩＤデータからなる規格データ５５とを確認することができ、前記ＲＦＩＤリーダライタ３と前記ＲＦＩＤタグ２との間で遣り取りされる通信内容を目視で確認することができる。このとき、当該液晶表示器５１の表示部への表示が一杯になった際には、順次新しい表示が上書きされる（Ｓ６）。
【００３４】
そして、取得したデータを遡って確認する際には、当該ＲＦＩＤデータモニタ装置１に設けられた測定停止釦を押してデータの蓄積を停止するとともに、当該ＲＦＩＤデータモニタ装置１に設けられたスクロールアップ／スクロールダウン釦を操作することによって、前記ハードディスク６１に記憶された前記規格データを読み出して、前後のデータを前記液晶表示器５１の表示部内に表示することができる（Ｓ７）。
【００３５】
このように、前記ハードディスク６１に記憶された前記規格データを、前記液晶表示器５１の表示部に表示することができるため、通信内容を通信後に確認することができる。
【００３６】
このとき、図外のＵＳＢ（Ｕｎｉｖｅｒｓａｌ  Ｓｅｒｉａｌ  Ｂｕｓ）インターフェイスにパソコンを接続することによって、前記ハードディスク６１に蓄積された前記規格データを当該パソコンに読み出すことができる（Ｓ８）。これにより、当該パソコンで、前記通信内容を解析することもできる。
【図面の簡単な説明】
【００３７】
【図１】本発明の一実施の形態を示す図である。
【図２】同実施の形態を示すブロック図である。
【図３】同実施の形態の動作を示すフローチャートである。
【符号の説明】
【００３８】
１    ＲＦＩＤデータモニタ装置
２    ＲＦＩＤタグ
３    ＲＦＩＤリーダライタ
４    ＲＦＩＤデータ
３６    ＣＰＵ
４１    ＲＯＭ
５１    液晶表示器
６１    ハードディスク
【図１】
2008077526.tif 000003
【図２】
2008077526.tif 000004
【図３】
2008077526.tif 000005